(57)【要約】【課題】  機密保持が必要な紙類を、その機密保持を保ちながらリサイクル可能な大きさで切断することが容易に可能な紙類のリサイクル処理機を提供すること。【解決手段】  処理機本体１内に、外周に複数の突出する刃部１２（１１）を設けた切断刃７，９を、この刃部が所定の間隔で相互に噛合うように軸方向に配設した複数の回転軸２，３を平行に設け、この回転軸２，３に配設した切断刃７，９の下部を底板１９で閉鎖し、この処理機本体１内で、所定の水分量の紙類Ｐを前記切断刃７，９で下部から上部に掻き上げて繰り返して切断することによりリサイクル可能な大きさに切断し、この切断した切断片ｐを相互に噛合う切断刃７，９の刃部１２（１１）で判読不能な状態に圧密させる。【選択図】  図１
2007211372.tif 000002
【特許請求の範囲】
【請求項１】
処理機本体内に複数の回転軸を平行に設け、該複数の回転軸の軸方向に、外周に複数の突出する刃部を設けた切断刃を、該刃部が所定の間隔で相互に噛合うように軸方向に配設し、前記処理機本体の該切断刃下部を底板で閉鎖し、
該処理機本体内で、所定の水分量の紙類を下部から上部に掻き上げて前記切断刃で繰り返して切断することによりリサイクル可能な大きさに切断し、該切断した紙類を相互に噛合う切断刃の刃部で判読不能な状態に圧密させる紙類のリサイクル処理方法。
【請求項２】
前記処理機本体の軸方向の一端上部から所定の水分量の紙類を投入し、該紙類を処理機本体の軸方向他端に向けて下部から上部に掻き上げて前記切断刃で繰り返して切断することによりリサイクル可能な大きさに切断し、該切断した紙類を相互に噛合う切断刃の刃部で判読不能な状態に圧密させ、該処理機本体の軸方向の他端下部から排出することを特徴とする請求項１に記載の紙類のリサイクル処理方法。
【請求項３】
前記紙類を、前記処理機本体内で所定の水分量に調整することを特徴とする請求項１又は請求項２に記載の紙類のリサイクル処理方法。
【請求項４】
処理機本体内に複数の回転軸を平行に設け、該複数の回転軸の軸方向に、外周に複数の突出する刃部を設けた切断刃を、該刃部が所定の間隔で相互に噛合うように軸方向に配設し、
前記処理機本体の上部に紙類の投入口を設け、該処理機本体の下部に開閉可能な底板を設け、
前記投入口から投入する紙類を所定の水分量にして処理機本体内で下部から上部に掻き上げて前記切断刃で繰り返して切断することによりリサイクル可能な大きさに切断し、該切断した紙類を相互に噛合う切断刃の刃部で判読不能な状態に圧密させるように前記回転軸を制御する制御装置を設けた紙類のリサイクル処理機。
【請求項５】
前記処理機本体の投入口に水分量調整手段を設け、前記切断する紙類の水分量に応じて該水分量調整手段から所定量の水を供給して該紙類を所定の水分量に調整するように構成したことを特徴とする請求項４に記載の紙類のリサイクル処理機。
【請求項６】
処理機本体内に複数の回転軸を平行に設け、該複数の回転軸の軸方向に、外周に複数の突出する刃部を設けた切断刃を、該刃部が所定の間隔で相互に噛合うように軸方向に配設し、該切断刃の下部を底板で塞ぎ、
前記処理機本体の軸方向の一端上部に紙類の投入口を設け、該処理機本体の軸方向の他端下部に紙類の排出口を設けて該排出口の位置を前記投入口の位置に対して回転軸の軸方向にずらして配置し、
前記投入口から投入する紙類を所定の水分量にして投入口側から排出口側に横送りしながら下部から上部に掻き上げて前記切断刃で繰り返して切断することによりリサイクル可能な大きさに切断し、該切断した紙類を相互に噛合う切断刃の刃部で判読不能な状態に圧密させるように前記回転軸を制御する制御装置を設けた紙類のリサイクル処理機。
【請求項７】
前記処理機本体の投入口側を、前記紙類をリサイクル可能な大きさに切断する切断部に形成し、前記排出口側を、該切断部で切断した紙類を判読不能な状態に圧密させる圧密部に形成したことを特徴とする請求項６に記載の紙類のリサイクル処理機。
【請求項８】
前記処理機本体の投入口側に水分量調整手段を設け、前記切断する紙類の水分量に応じて該水分量調整手段から所定量の水を供給して該紙類を所定の水分量に調整するように構成したことを特徴とする請求項６又は請求項７に記載の紙類のリサイクル処理機。
【請求項９】
前記紙類を所定の水分量にする水を電解水としたことを特徴とする請求項４〜８のいずれか１項に記載の紙類のリサイクル処理機。
【請求項１０】
請求項４〜９のいずれか１項に記載の紙類のリサイクル処理機を備え、該リサイクル処理機に投入する紙類に応じて該リサイクル処理機の切断条件を設定することができる機能を前記制御装置に備えさせた紙類のリサイクル処理車。
【請求項１１】
前記リサイクル処理機で切断して圧密された紙類を貯える貯留部を備えたことを特徴とする請求項１０に記載の紙類のリサイクル処理車。
【発明の詳細な説明】
【技術分野】
【０００１】
本発明は、書類や帳票等の紙類の機密保持を保ちながら、リサイクル可能な大きさに切断して処理する紙類のリサイクル処理方法とその処理機に関する。
【背景技術】
【０００２】
従来より、書類や帳票等の紙類（これら書類や帳票等の紙類を総称して、この明細書及び特許請求の範囲の書類中では「紙類」という。）は、使用後や所定期間経過後等に廃棄処分されている。この処分方法としては、近年、個人情報保護法が施行され、より厳格にこれらの紙類に記載された個人情報の機密保持が保たれるように処分されている。
【０００３】
このようにな機密保持が必要な紙類の処分方法として、廃棄する紙類をシュレッダによって細かく切断して処分する方法（従来例１）や、廃棄する紙類を所定の箱に格納し、その箱の開口部を封印した後に外部の古紙再生のための溶解槽で溶解するか、焼却炉で焼却する方法（従来例２）等がある。この従来例２の場合、通常、箱に格納した紙類の機密保持が保たれていることを認証するために、処理の依頼者が搬送と最終処分の現場に同行して立ち会うことが求められる。
【０００４】
なお、この種の従来技術として、水槽を備えた古紙処理装置に設けられた古紙給紙装置の前方に設けられ、古紙処理装置で処理する古紙を、機密性を保持して破断しながら水槽内に投入するようにしたものがある（例えば、特許文献１参照。）。
【特許文献１】特開平７−２８４６８２号公報（第２−３頁、図１，２）
【発明の開示】
【発明が解決しようとする課題】
【０００５】
しかしながら、前記した従来例１の場合、活字を判読できない程度までシュレッダで紙類を細かく切断するので、機密保持を保つことはできるがパルプ繊維を短く切断してしまい、リサイクル可能な紙類の条件である、「パルプ繊維が短くないこと」という、リサイクル可能なパルプ繊維の長さ（例えば、１０ｍｍ前後以上）を満たすことができず、リサイクルすることができなくなる。そのため、シュレッダによって切断された紙類は、燃料等の用途で焼却処分されている。また、この場合、紙類を細かく切断することによってかさ比重が小さくなるので、輸送する回数が増して多くの輸送コストが必要となる。しかも、紙類を焼却処分することは、紙類のリサイクルを推進する環境問題に逆行する。
【０００６】
一方、前記従来例２の場合、廃棄する紙類を格納した箱の開口部に封印をしたり、その封印をして機密保持が保たれた状態のままで処分されるのを認証するために搬送と最終処分の現場に依頼者が同行して立ち会わなければならず、処分したい依頼者に労力と費用を強いる煩雑な作業となる。しかも、この方法の場合、処分するまでの機密保持は処分する業者との信頼関係も重要な要件となり、現実的には難しい場合がある。なお、前記特許文献１の場合も、この従来例２と同様に、古紙処理装置に搬送するまでの機密保持を保つのは難しい。
【０００７】
また、一方では、森林破壊や地球温暖化等の環境問題から、この種の紙類はリサイクル率が高いが、リサイクルが可能で前記機密保持に対する対策を施して安心して処理するために、前記紙類を依頼者の目前で機密性を保持した状態でリサイクル可能に処理したい、という要望もある。
【０００８】
そこで、本発明は、前記したような機密保持が必要な紙類を、機密性を保持した状態でリサイクル可能に処理することができる紙類のリサイクル処理方法とその処理機を提供することを目的とする。
【課題を解決するための手段】
【０００９】
前記目的を達成するために、本発明の紙類のリサイクル処理方法は、処理機本体内に複数の回転軸を平行に設け、該複数の回転軸の軸方向に、外周に複数の突出する刃部を設けた切断刃を、該刃部が所定の間隔で相互に噛合うように軸方向に配設し、前記処理機本体の該切断刃下部を底板で閉鎖し、該処理機本体内で、所定の水分量の紙類を下部から上部に掻き上げて前記切断刃で繰り返して切断することによりリサイクル可能な大きさに切断し、該切断した紙類を相互に噛合う切断刃の刃部で判読不能な状態に圧密させている。この明細書及び特許請求の範囲の書類中における「圧密」とは、高い圧力で圧縮しながら密接させて、重なった状態で固形化させるような作用をいう。これにより、処理する紙類をリサイクル可能な大きさに切断するとともに、その紙類を判読不能な状態に圧密して、機密保持とリサイクルとを両立させて処理することができる。
【００１０】
また、前記処理機本体の軸方向の一端上部から所定の水分量の紙類を投入し、該紙類を処理機本体の軸方向他端に向けて下部から上部に掻き上げて前記切断刃で繰り返して切断することによりリサイクル可能な大きさに切断し、該切断した紙類を相互に噛合う切断刃の刃部で判読不能な状態に圧密させ、該処理機本体の軸方向の他端下部から排出するようにしてもよい。これにより、投入口側から排出口側に向けて紙類を送りながら連続的に処理することができる。
【００１１】
さらに、前記紙類を、前記処理機本体内で所定の水分量に調整するようにしてもよい。これにより、処理機本体内で、投入される紙類を判読不能な状態に圧密させるのに適した水分量に調整することができる。
【００１２】
一方、本発明の紙類のリサイクル処理機は、処理機本体内に複数の回転軸を平行に設け、該複数の回転軸の軸方向に、外周に複数の突出する刃部を設けた切断刃を、該刃部が所定の間隔で相互に噛合うように軸方向に配設し、前記処理機本体の上部に紙類の投入口を設け、該処理機本体の下部に開閉可能な底板を設け、前記投入口から投入する紙類を所定の水分量にして処理機本体内で下部から上部に掻き上げて前記切断刃で繰り返して切断することによりリサイクル可能な大きさに切断し、該切断した紙類を相互に噛合う切断刃の刃部で判読不能な状態に圧密させるように前記回転軸を制御する制御装置を設けている。これによっても、処理する紙類をリサイクル可能な大きさに切断するとともに、その紙類を判読不能な状態に圧密して、機密保持とリサイクルとを両立させて処理することができる。
【００１３】
また、前記処理機本体の投入口に水分量調整手段を設け、前記切断する紙類の水分量に応じて該水分量調整手段から所定量の水を供給して該紙類を所定の水分量に調整するように構成してもよい。これにより、処理する紙類の水分量に応じて処理機本体内で所定の水分量に調整することが容易にできる。
【００１４】
さらに、本発明の紙類のリサイクル処理機は、処理機本体内に複数の回転軸を平行に設け、該複数の回転軸の軸方向に、外周に複数の突出する刃部を設けた切断刃を、該刃部が所定の間隔で相互に噛合うように軸方向に配設し、該切断刃の下部を底板で塞ぎ、前記処理機本体の軸方向の一端上部に紙類の投入口を設け、該処理機本体の軸方向の他端下部に紙類の排出口を設けて該排出口の位置を前記投入口の位置に対して回転軸の軸方向にずらして配置し、前記投入口から投入する紙類を所定の水分量にして投入口側から排出口側に横送りしながら下部から上部に掻き上げて前記切断刃で繰り返して切断することによりリサイクル可能な大きさに切断し、該切断した紙類を相互に噛合う切断刃の刃部で判読不能な状態に圧密させるように前記回転軸を制御する制御装置を設けている。これによれば、処理する紙類をリサイクル可能な大きさに切断するとともに、その紙類を判読不能な状態に圧密する作業を投入口側から排出口側に向けて連続的に行うことができ、機密保持とリサイクルとを両立させる処理を効率良く連続的に行うことができる。
【００１５】
また、前記処理機本体の投入口側を、前記紙類をリサイクル可能な大きさに切断する切断部に形成し、前記排出口側を、該切断部で切断した紙類を判読不能な状態に圧密させる圧密部に形成してもよい。これにより、処理機本体内での処理を、投入口側では紙類を所定の大きさに切断する作業、排出口側では切断した紙類を判読不能な状態に圧密する作業、という作業毎に分けて、それぞれをより効率良く処理するようにできる。
【００１６】
さらに、前記処理機本体の投入口側に水分量調整手段を設け、前記切断する紙類の水分量に応じて該水分量調整手段から所定量の水を供給して該紙類を所定の水分量に調整するように構成してもよい。これにより、処理機本体内で、投入される紙類を判読不能な状態に圧密させるのに適した水分量に調整することができる。
【００１７】
また、前記紙類を所定の水分量にする水を電解水としてもよい。これにより、処理した紙類の腐敗を長期間抑止することができる。
【００１８】
さらに、本発明の紙類のリサイクル処理車は、これらいずれかの紙類のリサイクル処理機を備え、該リサイクル処理機に投入する紙類に応じて該リサイクル処理機の切断条件を設定することができる機能を前記制御装置に備えさせている。このリサイクル処理車によれば、廃棄したい紙類を、その処理したい者の面前で処理することができるので、機密保持が必要な書類を確実に処理したことを処理したい者が容易に確認することができる。
【００１９】
また、前記リサイクル処理機で切断して圧密された紙類を貯える貯留部を備えさせてもよい。これにより、処理する紙類がある場所へ車で移動し、その場で紙類を処理する作業を、巡回しながら行うことができる。
【発明の効果】
【００２０】
本発明は、以上説明したような手段により、紙類をリサイクル可能な大きさに切断するとともに、切断した紙類を判読不能な状態に圧密させて機密保持が保てる状態で処理することが可能となる。
【発明を実施するための最良の形態】
【００２１】
以下、本発明の一実施の形態を図面に基づいて説明する。なお、以下の実施の形態では、２本の回転軸を平行に設けた二軸の処理機を例に説明する。
【００２２】
図１は、本発明の第１実施の形態に係るリサイクル処理機を示す図面であり、(a) は側断面図、(b) はＩ−Ｉ断面図である。図２は、図１に示すリサイクル処理機で紙類を圧密する開始状態を模式的に示す図面であり、(a) は処理機に設けた切断刃の側面図、(b) は圧密する前の紙類の模式図である。図３は、図２に示すように紙類を圧密した後に分断する状態を模式的に示す図面であり、(a) は処理機に設けた切断刃の側面図、(b) は同切断刃の正面図である。
【００２３】
図１(a),(b) に示すように、処理機本体１内には２本の回転軸２，３が平行に並設されている。これらの回転軸２，３は、処理機本体１の両端に設けられた軸受（図示略）によって回動自在に支持されている。５，６は駆動機であり、駆動機５は回転軸２、駆動機６は回転軸３をそれぞれ独立的に駆動するように構成されている。この実施の形態では、これら回転軸２，３が、例えば、約１００ｒｐｍ以下の低速回転数で回転させられる。
【００２４】
回転軸２，３の軸方向には、切断刃７，９がスペーサ８，１０を挟むように交互に設けられている。両回転軸２，３に設けられた切断刃７，９は、これら切断刃７，９の外周に設けられた刃部１１，１２が互いに噛合うように配設されている。両回転軸２，３の対向する位置では切断刃７，９とスペーサ８，１０とが向き合っている。これによって両軸２，３に設けられた切断刃７，９の間は、その側面同士が、例えば、０．１ｍｍ〜１ｍｍ程度の微小隙間を有する状態でラップして噛合っている。これら回転軸２，３に設けられた切断刃７，９が内向きに回転することにより、中央部で紙類Ｐを切断するように構成されている。４は、リサイクル処理機２０の制御装置である。
【００２５】
この第１実施の形態では、投入口側の切断刃７の厚みを厚くし、排出口側の切断刃９の厚みを薄くしている。これにより、投入口側Ｓでは厚みの厚い切断刃７で紙類Ｐを長く切断し、排出口側Ｏではその紙類Ｐを切断刃９でリサイクル可能な大きさに切断しながら圧密するようにしている。この実施の形態では、投入口側Ｓの厚みが厚い切断刃７を設けた部分が切断部１３、排出口側Ｏの厚みが薄い切断刃９が設けられた部分が圧密部１４に形成されている。この切断刃７，９の厚みとしては、切断片がリサイクル可能な大きさで切断されるように、切断刃７，９の厚さと刃部１１，１２とが適切なサイズに設定されている。切断刃９の厚さとしては、紙パルプとしてリサイクル可能なパルプ繊維の長さ（例えば、１０ｍｍ前後以上）を保持することができる厚さで設定すればよい。
【００２６】
この実施の形態における切断刃７，９の厚みは一例であり、投入口側Ｓと排出口側Ｏの切断刃の厚みを同一にしたり、この実施の形態とは異なる差にしてもよく、投入する紙類Ｐに応じて決定すればよい。また、この実施の形態では、外周に５個の刃部１１，１２が形成された切断刃７，９を設けている。この切断刃７，９の刃部１１，１２の数は紙類Ｐの種類や大きさ等に応じて決定すればよく、この実施の形態に限定されるものではない。
【００２７】
さらに、この第１実施の形態における処理機本体１には、処理機本体１の上部の回転軸軸方向一端（図１の左側）に紙類Ｐの投入口１５が設けられ、この処理機本体１の下部の回転軸軸方向他端（図１の右側）に紙類Ｐの排出口１６が設けられている。これにより、処理機本体１の上部の一端に設けられた投入口１５から投入された紙類Ｐを、回転軸２，３の軸方向に送りながら切断し、この処理機本体１の下部の他端に設けられた排出口１６から排出するように構成されている。
【００２８】
また、処理機本体１の下部は、回転する切断刃７，９の描く円弧と所定の隙間を設けて両側部下端が円弧状に形成された底板１９によって塞がれている。この底板１９は、前記切断刃７，９が設けられた部分に設けられている。このように処理機本体１の両側部下端を形成することにより、この処理機本体１内で紙類Ｐの切断を複数回繰り返すことができるようにしている。すなわち、処理機本体１の下部と回転する切断刃７との間に所定の隙間を設けて沿うような内壁を形成することにより、処理機本体１の下部の底板１９上に落ちた紙類Ｐを下部から上部に掻き上げて切断刃７，９で繰り返して切断することができるように構成されている。この紙類Ｐを下部から上部に掻き上げることのできるようにする内壁としては、(b) に示す断面で、両側部下端が円弧状、円筒状、四角状、また前記したように切断刃７と同心円状の形状等で、側部が垂直状の直線や切断刃７と同心円状に湾曲した形状等によって形成される。
【００２９】
さらに、この処理機本体１の内面には、両側部に中央部から切断刃７の側面上部に向けて横送り部材１７が設けられている。この横送り部材１７は、処理機本体１の両側部内面の円弧状部分のそれぞれに、処理機本体１の中央部から排出口側に向けて緩やかな螺旋を描くように斜めに設けられている。横送り部材１７の上端は、ほぼ切断刃７の上端位置まで設けられている。この横送り部材１７が、紙類Ｐを軸方向に送る構成の一部であり、所定径の丸棒や角棒等によって形成される。
【００３０】
また、紙類Ｐ（切断片ｐ）を軸方向に送る構成としては、内向きに回転する切断刃７，９の先端に設けられた刃部１１，１２が、投入口側Ｓから排出口側Ｏに向けて螺旋状の円弧を描きながら位置がずれるように配置され、投入口側Ｓから排出口側Ｏに向けて回転軸２，３の軸方向に紙類Ｐを送るように構成されていてもよい。このようにしても、これら切断刃７，９で切断した紙類Ｐを、切断刃７，９の回転によって排出口側Ｏへ送ることができる。
【００３１】
さらに、両回転軸２，３の軸方向に設けられた切断刃７，９の所定位置には、紙類Ｐや切断した切断片ｐを処理機本体１の内壁に沿って切断刃７，９の上部まで掻上げる掻上げ部材１８が設けられている。この実施の形態における掻上げ部材１８は、切断刃７，９に設けられた刃部１１，１２の１つを、切断刃７，９に設けられた他の刃先１１，１２が描く円よりも大きな円を描く大きさで形成した掻上げ刃部１８に形成し、この掻上げ刃部１８によって、切断刃７で切断されて処理機本体１内に落ちた切断片ｐを処理機本体１の内面に沿って掻上げるように構成されている。この掻上げ刃部１８の先端形状等は、切断片ｐを排出口側Ｏへ送ることができる形状が好ましい。
【００３２】
また、この実施の形態では、前記した横送り部材１７が回転軸の軸方向に３列設けられているため、これらの横送り部材１７の間に前記掻上げ刃部１８が設けられている。このように掻上げ刃部１８を横送り部材１７が切れた位置に設けることにより、この掻上げ刃部１８が処理機本体１の内壁に沿うように掻上げる切断片ｐが横送り部材１７に沿って排出口側Ｏへ送られ易いようにできる。なお、横送り部材１７と掻上げ刃部１８との組数を変更すれば切断回数を容易に変更することができる。
【００３３】
以上のように構成された第１実施の形態のリサイクル処理機２０によれば、以下のようにして、紙類Ｐの機密保持を保ちながらリサイクル可能なように処理することができる。すなわち、この実施の形態では、投入口１５から所定の水分量に調整された紙類Ｐが処理機本体１の内部に投入され、この処理機本体１の内部で切断刃７，９によって切断される。処理機本体１に投入される紙類Ｐの水分量としては、投入重量に対して適切な水量をあらかじめ加えて調整されている。この実施の形態の場合、投入される紙類Ｐは、１〜３０％程度の水分量にあらかじめ調整されている。この紙類Ｐの水分量を調整するために水を加える場合、殺菌性のある電解水を使用すれば、腐敗菌やカビの繁殖を抑制することができ、切断・圧密・造粒されたものの保管貯留も容易で、腐敗を嫌うパルプのリサイクルに好ましい。この明細書及び特許請求の範囲の書類中における「水」は、「水」や「電解水」等を含む。
【００３４】
このように水分量が調整された紙類Ｐが処理機本体１の投入口１５から内部に投入されると、処理機本体１の投入口側Ｓでは厚みの厚い切断刃７で大きく切断される。この切断されて処理機本体１内の下部に落ちた切断片ｐは、切断刃７の回転によって横送り部材１４と掻上げ刃部１８とによって排出口側Ｏへ送られながら処理機本体１内の下部から切断刃７の上部へと掻上げられ、この切断刃７と切断刃９とによってリサイクル可能な大きさまで繰り返して切断される。この時、切断片ｐ（紙類Ｐ）は所定の水分量に調整されているので、切断刃９が切断片ｐを練りながら切断するような作用が生じ、濡れた状態で切断された切断片ｐの表面や端部は解砕と攪拌、切断によりパルプ繊維をほぐすような解繊が行われ、繊維が起毛したようになる。また、切断される切断片ｐの中の水分は分散させられて、この水が切断片ｐを結合させるバインダ（結合剤）として働き、このように繊維が起毛したような切断片ｐは、切断刃７，９による攪拌等によって接合して一体的な塊状に形成されていく。
【００３５】
そして、この塊状に接合した切断片ｐを前記したように紙類Ｐの表面や端部の解織された切断片ｐが重なった状態で切断刃９により圧密剪断すると、起毛繊維が絡み合いながら遊離した糊成分が結合し、重なった状態で固形化される。この時、切断片ｐには押圧されて繊維が潰されるよな力が生じるので、その圧密された切断片ｐは、その表面に印刷されていた文字等は判読不能な状態まで圧密されて接合される。
【００３６】
また、この時、切断刃９の先端とスペーサ１０との直径差で速度差を生じ、この速度差で切断刃９の先端によって切断片ｐをスペーサ１０に向けて押圧して掻き取るような作用を生じ、この時、スペーサ１０の両側部は相手側の切断刃９の側壁で閉ざされているので、逃げ場のない切断片ｐが切断刃７の先端で押圧されて掻き取るときに圧密が生じる。このように切断刃９が相手側のスペーサ１０との間で圧密した切断片ｐは、切断刃９が回転することによって、その刃部１２により圧密されながら、この刃部１２が引っ掛かった部分が切り取られ、適度な大きさに造粒された状態となる。
【００３７】
このように、この実施の形態では、処理機本体１の内部で所定の水分量の紙類Ｐを繰り返し切断しながら、紙類Ｐの切断片ｐの中の水分を分散させて、この切断片ｐに含まれている水分を結合させるためのバインダ（結合剤）として働かせ、紙パルプとしてリサイクル可能なパルプ繊維の長さを保持しながら適切な粒度に圧密、造粒することができるようにしている。
【００３８】
従って、紙パルプとしてリサイクル可能なパルプ繊維の長さを保持しながら適切な粒度に圧密、造粒することができる。また、切断紙片が過粉砕されることのないよう、カッター厚さとカッターフックは適切なサイズに設定されているので、紙パルプとしてリサイクル可能なパルプ繊維の長さを保持することのできる粒度に圧密、造粒することができる。
【００３９】
このように、リサイクル処理機２０で処理された紙類Ｐは、リサイクル可能な大きさに切断されるとともに、その紙類Ｐ（書類、帳票等）に記載されていた機密情報は読み出すことが不可能な状態で圧密された切断片ｐ（造粒された切断片ｐも含む）となるため、個人情報保護法などの法律を遵守できるように紙類Ｐの機密保持を保ちながら、リサイクル可能なように処理することができる。
【００４０】
また、リサイクル可能な大きさで判読不能な状態に圧密された切断片ｐは、排出口１６から機外に排出されるが、この排出された切断片ｐは、強固に接合された切断片ｐが塊となって造粒されたような状態で排出口１６から排出されるので、かさ比重も大きく、リサイクルのための輸送コストの低減も図ることができる。
【００４１】
さらに、紙類Ｐの種類や処理量等に応じて回転軸２，３を回転制御すれば、紙類Ｐの噛み込み制御による過負荷の発生を抑制することができる。この実施の形態では各回転軸２，３がそれぞれ別々の駆動機５，６で駆動されているため、これらの駆動機５，６の回転数を異ならせるような制御を行って過負荷の発生を抑止すればよい。
【００４２】
また、このように紙類Ｐを処理するリサイクル処理機２０としては、処理機本体１内で循環して繰返し切断することのできる二軸破砕機を利用して、書類、帳票の機密情報を保持しながら、紙としてのリサイクルを図ることもできる。
【００４３】
しかも、このリサイクル処理機２０によれば、機密保持が必要な紙類Ｐを、処理の依頼者の手元で機密保持とリサイクル可能なように処理することも容易に可能である。従って、紙類Ｐのリサイクルを促進し、森林破壊や地球温暖化等を考える環境問題の推進に寄与することができる。
【００４４】
図４は、本発明の第２実施の形態に係るリサイクル処理機を示す図面であり、(a) は側断面図、(b) はＩＶ−ＩＶ断面図である。なお、前記した第１実施の形態と同一の構成には同一符号を付し、その詳細な説明は省略する。また、以下の実施の形態では、第１実施の形態における駆動機５，６等を省略して記載する。
【００４５】
図示するように、この第２実施の形態は、処理機本体２１の上部のほぼ全長が投入口２２に形成され、処理機本体２１の下部のほぼ全長が排出口２３に形成されている。この排出口２３には、支持軸２５で支持された開閉蓋２４が設けられている。この開閉蓋２４が処理機本体１の底板となる。
【００４６】
この実施の形態では、回転軸２，３に全て同一の厚みの切断刃９が設けられている。この実施の形態の場合，これらの切断刃９によって処理機本体２１の下部から上部に向けて紙類Ｐ（切断片ｐ）が掻上げられ、切断刃９によって繰り返し切断されるように構成されている。
【００４７】
以上のように構成された第２実施の形態のリサイクル処理機２６によれば、前記第１実施の形態と同様に、投入口２２から所定の水分量に調整された紙類Ｐが処理機本体２１の内部に投入され、この投入された紙類Ｐは、水分を含んだ状態で処理機本体２１の内部で掻上げられてリサイクル可能な大きさまで切断刃９で繰り返し切断される。この場合も、切断される紙類Ｐはパルプ繊維が解繊されて起毛したように切断され、その切断片ｐ中の水分がバインダとなってこの繊維が絡みつくように密着して接合される。そして、切断刃９で圧密された切断片ｐは水分が分散されて造粒された状態となって、その表面の記載内容は判読不能な状態となる。このように処理機本体２１の内部で圧密された切断片ｐは、処理機本体２１の下部に設けられた排出口２３の開閉扉２４を開放することによって機外に排出される。
【００４８】
また、この第２実施の形態のリサイクル処理機２６によれば、紙類Ｐの処理はバッチ処理になるが、紙類Ｐの機密保持を保ちながらリサイクル可能な大きさに切断して、紙類Ｐのリサイクルを促進することができる。
【００４９】
図５は、本発明の第３実施の形態に係るリサイクル処理機を示す図面であり、(a) は側断面図、(b) はＶ−Ｖ断面図である。この第３実施の形態は、前記第１実施の形態のリサイクル処理機２０の投入口側Ｓに形成された切断部１３に、水分量調整手段たる加水ノズル３１を設けた例である。前記第１実施の形態と同一の構成には同一符号を付し、その詳細な説明は省略する。
【００５０】
図示するように、この第３実施の形態は、前記第１実施の形態の処理機本体１と同様に、回転軸２，３の軸方向に投入口１５と排出口１６とがずれて設けられている。また、回転軸２，３に配設された切断刃７，９も、投入口側Ｓには厚みが厚い切断刃７が設けられ、排出口側Ｏには厚みが薄い切断刃９が設けられている。切断刃７が設けられた投入口側Ｓが切断部１３、切断刃９が設けられた排出口側Ｏが圧密部１４に形成されている。
【００５１】
そして、この処理機本体１内の上部に、水分量調整手段たる加水ノズル３１が軸方向に設けられている。この加水ノズル３１は、処理機本体１の排出口側Ｏに形成された圧密部１４に設けられている。ノズル３１ａは、水Ｗを拡散できるような構成が好ましい。この実施の形態の加水ノズル３１によれば、前記投入口１５から投入されて切断刃７によって所定の大きさに切断されて排出口側Ｏの圧密部１４に送られてきた切断片ｐに向けて水Ｗを噴射するように構成されている。この実施の形態では圧密部１４で切断片ｐに水Ｗを噴射するように構成しているが、切断部１３で水Ｗを噴射するように構成してもよい。また、この加水ノズル３１から水を供給する方法としては、処理機本体１の内部で紙類Ｐを繰り返し切断しながら供給しても、投入時にのみ供給するようにしてもよい。
【００５２】
この加水ノズル３１による加水量としては、紙質、投入重要、含有する水分等により０〜３０％程度の水分量（投入する紙類Ｐが所定の水分量を有している場合は加水されない。）となるように、加水ノズル３１から噴射する水量が調整される。この加水量は、紙類Ｐを切断する切断刃７，９の切断負荷状態を回転軸２，３を駆動する駆動機５，６の負荷で検知したり、切断温度を電気的に検知したりして調整したり、紙類Ｐの容積に対する重量から調整するようにすればよい。
【００５３】
この加水ノズル３１から水が供給された紙類Ｐは、前記第１実施の形態のリサイクル処理機２０と同様に、水分を含んだ状態で切断と掻上げが行われるので、パルプ繊維が解繊されて起毛したように切断され、その切断片ｐ中の水分が拡散され、この切断片ｐを結合させるバインダとして働き、その切断片ｐは圧密部１４においてパルプ繊維が絡みつくように接合し、切断刃９で圧密された切断片ｐは水分が分散されて造粒された状態となって、その表面の記載内容は判読不能な状態となる。従って、紙パルプとしてリサイクル可能なパルプ繊維の長さを保持しながら適切な粒度に圧密、造粒することができる。そして、切断刃９で圧密されて切り取られた切断片ｐは、排出口１６から機外へ排出される。
【００５４】
この第３実施の形態のリサイクル処理機３２によっても、リサイクル可能なパルプ繊維の長さを保持しながら適切な粒度に圧密、造粒することができる。他の作用効果は、前記第１実施の形態と同様であるため、その詳細な説明は省略する。
【００５５】
図６は、本発明の第４実施の形態に係るリサイクル処理機を示す図面であり、(a) は側断面図、(b) はＶＩ−ＶＩ断面図である。この第４実施の形態は、前記第２実施の形態のリサイクル処理機２６の投入口２２に加水ノズル４１を設けた例である。４１ａはノズルである。前記第１，第２実施の形態と同一の構成には同一符号を付し、その詳細な説明は省略する。
【００５６】
図示するように、この第４実施の形態も、処理機本体２１の上部のほぼ全長が投入口２２に形成され、処理機本体２１の下部のほぼ全長が排出口２３に形成されている。この排出口２３には、支持軸２５を中心に回動して開閉可能な開閉扉２４が設けられている。この開閉蓋２４が処理機本体１の底板となる。
【００５７】
この実施の形態でも、回転軸２，３に全て同一の厚みの切断刃９が設けられている。この実施の形態の場合も，これらの切断刃９によって処理機本体２１の下部から上部に向けて紙類Ｐ（切断片ｐ）が掻上げられ、切断刃９によって繰り返し切断されるように構成されている。
【００５８】
以上のように構成された第４実施の形態のリサイクル処理機４２によれば、前記第３実施の形態と同様に、投入口２２から投入された紙類Ｐは、加水ノズル４１から供給される所定量の水Ｗによって所定の水分量に調整されながら、この処理機本体２１の内部でリサイクル可能な大きさまで繰り返し切断される。この場合も、切断される紙類Ｐはパルプ繊維が解繊されて起毛したように切断され、その切断片ｐ中の水分がバインダとなってこの繊維が絡みつくように密着して接合される。そして、切断刃９で圧密された切断片ｐは水分が分散されて造粒された状態となって、その表面の記載内容は判読不能な状態となる。このように処理機本体２１の内部で圧密された切断片ｐは、処理機本体２１の下部に設けられた排出口２３の開閉扉２４を開放することによって機外に排出される。
【００５９】
また、この第４実施の形態のリサイクル処理機４２によっても、紙類Ｐの処理はバッチ処理になるが、紙類Ｐの機密保持を保ちながらリサイクル可能な大きさに切断して、紙類Ｐのリサイクルを促進することができる。他の作用効果は前記第２実施の形態と同様であるため、その詳細な説明は省略する。
【００６０】
なお、前記第３，第４実施の形態における加水ノズル３１，４１は水分量調整手段の一例であり、他の構成によって紙類Ｐの水分量を調整するようにしてもよく、前記実施の形態に限定されるものではない。
【００６１】
また、前記した各実施形態における一部又は全部を組合わせることは可能であり、使用条件等に応じて各実施形態における構成を適宜組合わせてもよく、また、前述した実施の形態は一例を示しており、本発明の要旨を損なわない範囲での種々の変更は可能であり、本発明は前述した実施の形態に限定されるものではない。
【００６２】
図７は、本発明のリサイクル処理機を搭載したリサイクル処理車を示す側面図である。この図は、前記第４実施の形態におけるリサイクル処理機４２を車両５１の荷台５２に搭載してリサイクル処理車５６を構成した例である。この図ではリサイクル処理機４２を搭載した例を示しているが、前記他のリサイクル処理機２０，２６，３２を搭載するようにしてもよい。
【００６３】
図示するように、車両５１の荷台５２にリサイクル処理機４２が設けられており、このリサイクル処理機４２には、上部の投入口２２から紙類Ｐを投入することが可能なように構成されている。この車両５１には、リサイクル処理機４２を制御する制御装置５５が設けられている。この制御装置５５としては、リサイクル処理機４２に投入される紙類Ｐに応じてこのリサイクル処理機４２の回転軸２，３回転数や供給水分量等の切断条件を設定することができるように構成されている。そして、この例では、車両５１の荷台５２に作業者Ｍが乗り、リサイクル処理機４２の上部に設けられた投入口２２から紙類Ｐを投入すると、前記したようにリサイクル処理機４２の内部で加水ノズル４１から供給される水で紙類Ｐが所定の水分量に調整され、切断刃９でリサイクル可能な大きさまで繰り返し切断されるとともに、この切断刃９で圧密され、判読不能な状態にして機密保持を保った状態でリサイクル可能な大きさとなった切断片ｐの塊が排出口２３から排出される。
【００６４】
この実施の形態のリサイクル処理車５６には処理済みの切断片ｐを貯留する貯留部５３が荷台５２の後部に設けられており、前記リサイクル処理機４２の排出口２３から排出された切断片ｐの塊は、このリサイクル処理機４２の下部から前記貯留部５３に切断片ｐを搬送する搬送機５４によって搬送される。この搬送機５４としては、バケットコンベア等によって構成される。
【００６５】
以上のように構成されたリサイクル処理車５６によれば、紙類Ｐを処分したい場所へリサイクル処理車５６で巡回し、このリサイクル処理車５６に搭載されたリサイクル処理機４２によって依頼者の目前で処分したい紙類Ｐを機密保持を保った状態でリサイクル可能なように処理することができる。
【００６６】
つまり、このリサイクル処理車５６によれば、需要者の下へ出向き、需要者の確認の下で、廃棄したい紙類Ｐを、直接、機密書類を切断し判読不能な状態に圧密する処理ができるので、機密保持が必要な書類を確実に処理したことを依頼者が容易に確認することができ、しかも、その情報の漏洩を防止した紙類Ｐのリサイクルも図ることができる。
【００６７】
その上、処理された切断片ｐは貯留部５３に貯えられるので、処理する紙類Ｐがある場所へリサイクル処理車５６で移動し、その場で紙類Ｐを処理する作業を巡回しながら行うことができ、効率良く多くの紙類Ｐを処理することができる。
【００６８】
また、機密保持した処理が必要な紙類Ｐが毎日発生する場合には、前記リサイクル処理機２０，２６，３２，４２を依頼者の処理場所に定置式とし、このリサイクル処理機２０，２６，３２，４２で処理した紙類Ｐを貯留する貯留タンクスペースを設ければ、その場で機密保持を確認しながらリサイクル可能なように処理することもできる。
【００６９】
なお、この明細書及び特許請求の範囲の書類中における「依頼者」には、自ら処理する「処理者」も含まれる。
【産業上の利用可能性】
【００７０】
本発明に係る紙類のリサイクル処理機は、処分したい紙類を判読不能な状態に圧密して機密保持を保ちながら、その紙類をリサイクルしたい場合に有用である。
【図面の簡単な説明】
【００７１】
【図１】本発明の第１実施の形態に係るリサイクル処理機を示す図面であり、(a) は側断面図、(b) はＩ−Ｉ断面図である。
【図２】図１に示すリサイクル処理機で紙類を圧密する開始状態を模式的に示す図面であり、(a) は処理機に設けた切断刃の側面図、(b) は圧密する前の紙類の模式図である。
【図３】図２に示すように紙類を圧密した後に分断する状態を模式的に示す図面であり、(a) は処理機に設けた切断刃の側面図、(b) は同切断刃の正面図である。
【図４】本発明の第２実施の形態に係るリサイクル処理機を示す図面であり、(a) は側断面図、(b) はＩＶ−ＩＶ断面図である。
【図５】本発明の第３実施の形態に係るリサイクル処理機を示す図面であり、(a) は側断面図、(b) はＶ−Ｖ断面図である。
【図６】本発明の第４実施の形態に係るリサイクル処理機を示す図面であり、(a) は側断面図、(b) はＶＩ−ＶＩ断面図である。
【図７】本発明のリサイクル処理機を搭載したリサイクル処理車を示す側面図である。
【符号の説明】
【００７２】
１…処理機本体
２，３…回転軸
４…制御装置
５，６…駆動機
７，９…切断刃
８，１０…スペーサ
１１，１２…刃部
１３…切断部
１４…圧密部
１５…投入口
１６…排出口
１７…横送り部材
１８…掻上げ刃部（掻上げ部材）
１９…底板
２０…リサイクル処理機
２１…処理機本体
２２…投入口
２３…排出口
２４…開閉扉
２５…支持軸
２６…リサイクル処理機
３１…加水ノズル
３２…リサイクル処理機
４１…加水ノズル
４２…リサイクル処理機
５１…車両
５２…荷台
５３…貯留部
５４…搬送機
５５…制御装置
５６…リサイクル処理車
Ｓ…投入口側
Ｏ…排出口側
Ｐ…紙類
ｐ…切断片（造粒された切断片を含む）
【図１】
2007211372.tif 000003
【図２】
2007211372.tif 000004
【図３】
2007211372.tif 000005
【図４】
2007211372.tif 000006
【図５】
2007211372.tif 000007
【図６】
2007211372.tif 000008
【図７】
2007211372.tif 000009